(57)【要約】【課題】  不意な力がかかっても、ずれたり、外れたりしにくいベッドのかけ布ずれ防止具を提供する。【解決手段】  ベースフレーム２とマットレス３との間にベッドサイドＡから差込まれる差込部６と、差込部６の基端６ａから起立してかけ布団、毛布等のかけ布の側縁が当たりうるガード部７とを含むベッドのかけ布ずれ防止具において、差込部６にベッドサイドＢまで延出する延出部材１５の基端を取付け、延出部材１５の延出端に他方のベッドサイドＢに掛止する掛止部材２２を設ける。【選択図】図１
2005177192.tif 000002
【特許請求の範囲】
【請求項１】
ベースフレーム等のベッド下部とマットレス等のベッド上部との間に一方のベッドサイドから差込まれる差込部と、該差込部の基端から起立してかけ布団、毛布等のかけ布の側縁が当たりうるガード部とを含むベッドのかけ布ずれ防止具において、前記差込部又は前記ガード部に他方のベッドサイドまで延出する延出部材の基端を取付け、該延出部材の延出端に他方のベッドサイドに掛止する掛止部材を設けたことを特徴とするベッドのかけ布ずれ防止具。
【請求項２】
前記延出部材を長さ調整可能に構成した請求項１記載のベッドのかけ布ずれ防止具。
【発明の詳細な説明】
【技術分野】
【０００１】
本発明は、ベッド上のかけ布団、毛布等のかけ布のずれ落ちを防ぐかけ布ずれ防止具に関するものである。
【背景技術】
【０００２】
従来、この種のベッドのかけ布ずれ防止具として、図９に示すように、ベースフレーム等のベッド下部４０とマットレス等のベッド上部４１との間に一方のベッドサイドから差込まれる差込部４２と、差込部４２の基端から起立してかけ布団、毛布等のかけ布の側縁が当たりうるガード部４３とを備えたものが知られている（例えば、特許文献１参照）。
【特許文献１】特開２００２−４５２６８公報
【発明の開示】
【発明が解決しようとする課題】
【０００３】
ところが、差込部４２はベッド下部４０とベッド上部４１との間に摩擦で止まっているに過ぎないので、特に差込部４２の上に人が位置していなかったり、体重の軽い人が寝ていたりした場合には、ガード部４３に人や物が当たる等して不意な力がかかると、差込部４２がずれたり、外れたりするという問題があった。
【０００４】
本発明の目的は、上記課題を解決し、不意な力がかかっても、ずれたり、外れたりしにくいベッドのかけ布ずれ防止具を提供することにある。
【課題を解決するための手段】
【０００５】
上記の課題を解決するために、本発明のベッドのかけ布ずれ防止具は、ベースフレーム等のベッド下部とマットレス等のベッド上部との間に一方のベッドサイドから差込まれる差込部と、差込部の基端から起立してかけ布団、毛布等のかけ布の側縁が当たりうるガード部とを含むベッドのかけ布ずれ防止具において、差込部又はガード部に他方のベッドサイドまで延出する延出部材の基端を取付け、延出部材の延出端に他方のベッドサイドに掛止する掛止部材を設けたことを特徴とする。
【０００６】
差込部又はガード部において延出部材の基端を取付ける箇所は、１箇所でも２箇所以上でもよいが、布ずれ防止具が回転してずれる現象を止めるためには、２箇所以上が好ましい。また、差込部又はガード部において延出部材の基端を取付ける位置は、特に限定されないが、1箇所ならば中央部が好ましく、２箇所以上ならばそれらの間隔ができるだけ離れていること(例えば両端に二本の差込部がある場合には、それらの両基端部又は両先端部に取り付けること)が安定するので好ましい。延出部材の延出端は１箇所にまとまっていても２箇所以上に分かれていてもよい。延出部材の延出方向は、他方のベッドサイドまで最短に向かう方向が合理的であるが、これに限定されるものではなく、例えば斜めに向かう方向でもよい。
【０００７】
延出部材の素材は、特に限定されないが、織布、不織布、樹脂、革、ワイヤ、チェーン等を例示でき、特に収納時に折り畳んでコンパクトにできる柔軟性素材が好ましい。この素材が剛体であっても、収納時に折畳める構造であれば好ましい。また、延出部材の形状は、特に限定されないが、ベッド下部とベッド上部との間で嵩張らないように、扁平形状、細紐形状等が好ましい。
【０００８】
延出部材は他方のベッドサイドまで届く長さがあればよいが、ベッドによってその長さは異なっていることから、延出部材の長さが調整可能であることが好ましい。この場合、延出部材の長さを調整する部材は、特に限定されないが、掛止部材に設けると、延出部材の長さ調整と同時に掛止部材がベッドサイドに掛止する具合を調整できるので好ましい。
【発明の効果】
【０００９】
本発明に係るベッドのかけ布ずれ防止具によれば、不意な力がかかっても、ずれたり、外れたりしにくいという効果を奏する。
【発明を実施するための最良の形態】
【００１０】
ベースフレーム等のベッド下部とマットレス等のベッド上部との間に一方のベッドサイドから差込まれる差込部と、差込部の基端から起立してかけ布団、毛布等のかけ布の側縁が当たりうるガード部とを含むベッドのかけ布ずれ防止具において、実施例に示すように、差込部又はガード部に他方のベッドサイドまで延出する延出部材の基端を取付け、延出部材の延出端に他方のベッドサイドに掛止する掛止部材を設ける。また、延出部材を長さ調整可能に構成するとよい。
【実施例】
【００１１】
図１〜図６に基づいて、ベッドのかけ布ずれ防止具５をベッド下部としてのベースフレーム２とベッド上部としてのマットレス３とからなるベッドに使用する本発明の実施例を説明する。延出部材１５を除いたかけ布ずれ防止具５は、公知のものである。尚、ベッドサイドの一方をベッドサイドＡ、他方をベッドサイドＢとする。
【００１２】
図１に示す全体構成のように、かけ布ずれ防止具５は、ベースフレーム２とマットレス３との間にベッドサイドＡから差込まれる二本の差込部６と、両差込部６の基端６ａから起立してかけ布団、毛布等のかけ布の側縁が当たりうるガード部７とを含み、さらに、差込部６に取り付けられベッドサイドＢまで延出する延出部材１５と、延出部材１５の延出端に設けられベッドサイドに掛止する掛止部材２２とが備えられている。
【００１３】
延出部材１５は、図２に示すように、三本の幅のある紐状のベルト１６と、三本のベルト１６を三方向に分岐するように取り付けた円形の扁平な分岐具１７と、分岐具１７から延出する二本のベルト１６ａの基端に設けられた略三角形の扁平な取付具１８とからなる。両取付具１８は両差込部６の基端６ａに取り付けられており、取付具１８には差込部６に対してベルト１６ａを延出する角度を固定するために差込部６の側面に沿うように当てる突出部１９が、取付具１８から下方向に突出して設けられている。分岐具１７から延出する残りの一本のベルト１６ｂは、分岐具１７からベッドサイドＢまで延出している。このベルト１６ｂは、図３（ａ）に示すように、ベルト１６ｂの途中部で連結具２０により連結されており、図３（ｂ）に示すように分岐具１７側とベルト１６ｂの延出端側とに分離することができるようになっている。
【００１４】
このベルト１６ｂの延出端には、図４に示すように、ベースフレーム２及びマットレス３のベッドサイドＢのサイド面に掛止する掛止部材２２が設けられている。この掛止部材２２は、ベルト１６ｂが２枚重なって挿通できる大きさの横穴２４が上下方向に並んで２つ形成されている略楕円形の扁平な掛止具２３と、「日」字状にベルト１６ｂが挿通できる大きさの２つ隙間２６が形成されている止め具２５とからなっている。止め具２５には、止め具２５を掛止具２３から離して任意の方向に引っ張ることができるように、隙間２６の長さ方向に巻きついて回動可能なベルト状の取手２７が設けられている。
【００１５】
ベルト１６ｂは、掛止具２３のベッドサイドＢ側から横穴２４ａと止め具２５の一方の隙間２６とを連続して挿通し、止め具２５の外方で折り返して、止め具２５の他方の隙間２６と横穴２４ａとを反対方向に挿通し、さらに、掛止具２３のベッドサイドＢ側で折り返して、横穴２４ｂを挿通している。これにより、横穴２４ｂを挿通したベルト１６ｂの先端部を引っ張ると、掛止具２３と止め具２５とが一体化し、掛止部材２２が留められたベルト１６ｂの位置がずれることがほとんどなくなる。また、掛止具２３と止め具２５とを離すように、取手２７を引っ張ると、ベルト１６ｂが緩み、掛止部材２２が留められたベルト１６ｂの位置を調整することができ、ベルト１６ｂの分岐具１７から掛止部材２２までの長さを調整することができる。
【００１６】
差込部６とガード部７とは、結合部材８を介して連結されており、結合部材８には、かけ布ずれ防止具５の使用時に差込部６とガード部７との直角位置関係をロック及びロック解除できるように係合片９と係合凹部１０とが備えられている。この係合片９と係合凹部１０とは、係合させると差込部６とガード部７との直角位置関係をロックでき、係合片９を引き上げることでロックを解除できる。
【００１７】
ガード部７は、両差込部６を架橋する下方が開口のコ字状のガードフレーム１１と、ガードフレーム１１の基端部付近を支える補助フレーム１２と、ガードフレーム１１と補助フレーム１２とを包むように張設したガードカバー１３とからなる。
【００１８】
ガードフレーム１１は、収納のために、上辺１１ａの略中央部が補助フレーム１２に向けて落ち込むように折れ曲がり、コ字状の角部で上辺１１ａと側辺１１ｂとが接近するように折れ曲がるようになっている。補助フレーム１２は、ガードフレーム１１から取り外し、補助フレーム１２の略中央で２つに分解できるように繋がっている。ガードカバー１３は、その側面がメッシュ構造になっていて、かけ布ずれ防止具５の使用時に通気性を確保できるようになっている。
【００１９】
上記のように構成されたかけ布ずれ防止具５は、以下のように使用する。
使用時には、ベースフレーム２とマットレス３との間にベッドサイドＡから二本の差込部６を差込み、両差込部６の基端６ａからガード部７を起立させる。このとき、結合部材８は、図５（ａ）に示すように、係合片９と係合凹部１０とが係合しているので、差込部６とガード部７とが直角位置関係でロックされている。延出部材１５は、ベッドサイドＢまで延出し、ベルト１６を張設できるように、分岐具１７からベルト１６ｂの掛止部材２２までの長さを調整し、掛止部材２０でベルト１６ｂを締めることで、ベルト１６を張設した状態を保ち、掛止部材２０をベッドサイドＢ側で起立させてサイド面のベースフレーム２及びマットレス３に掛止している。
【００２０】
また、収納時には、まず、ベッドサイドＢ側からサイド面のベースフレーム２及びマットレス３に掛止している掛止部材２２をはずして、ベルト１６を緩め、次に、ベッドサイドＡ側から差込部６及び掛止部材２０を引き抜く。そして、図５（ｂ）に示すように、係合片９をガードフレーム１１に沿って引き上げて係合凹部１０との係合を外し、結合部材８を支点にしてガードフレーム１１に重なるように差込部６を回動する。次に、図６に示すように、補助フレーム１２をガードフレーム１１から外し、ガードフレーム１１の上辺１１ａの略中央部を補助フレーム１２に向けて落ち込むように折り曲げ、上辺１１ａと側辺１１ｂとを接近するように折り曲げることで差込部６とガード部７をコンパクトにし、掛止部材２０とともに延出部材１５を巻きつける。
【００２１】
従って、本実施例のかけ布ずれ防止具５によれば、次のような効果を期待できる。
（ａ）延出部材１５がほぼ張った状態で、掛止部材２２をベッドサイドＢのサイド面に掛止させることで、ガード部７に不意な力がかかっても、差込部６がずれたり、外れたりしにくくなるため、かけ布のずれ落ちを確実に防ぐことができる。
（ｂ）間隔をおいた両端の二本の差込部６に延出部材１５が取付けられるので、布ずれ防止具５が回転してずれる現象も止まり、非常に安定する。
（ｃ）延出部材１５の長さを調整することができるので、どのような幅のベッドであっても使用することができる。
（ｄ）掛止部材２２の止め具２５に取手２７を設けることで、延出部材１５に締まっているベルト１６ｂと簡単に緩めることができるので、長さの調整が簡単にできる。
（ｅ）ベルト１６ｂに連結具２０を設けることで、ベルト１６ｂを分離した状態でベッドサイドＡから差込部６を差込み、ベッドサイドＢ側からかけ布ずれ防止具５の設置をすることができるので、かけ布ずれ防止具５の設置が容易である。
【００２２】
本発明は前記実施例に限定されるものではなく、例えば以下のように、発明の趣旨から逸脱しない範囲で適宜変更して具体化することもできる。
（１）連結具がないかけ布ずれ防止具であること。
（２）延出部材の長さを調整する部材が、延出部材の基端に設けられたこと。
（３）図７に示すように、それぞれの差込部６の先端に取り付けられた延出部材１５が他方のベッドサイドＢまで延出し、それぞれの延出端に掛止部材２２が設けられ、ベッドサイドＢのサイド面の２箇所で掛止すること。
（４）図８に示すように、掛止部材３０がベッドサイドＢのベースフレーム２の下端に掛止すること。
【図面の簡単な説明】
【００２３】
【図１】本発明に係る実施例の使用状態を示す外観斜視図である。
【図２】同実施例の部分拡大した斜視図である。
【図３】同実施例の連結具を示し、（ａ）は連結された斜視図、（ｂ）は分離した斜視図である。
【図４】同実施例の掛止部材のベルトが緩んだ状態を示す斜視図である。
【図５】同実施例の結合部材を示し、（ａ）は係合した斜視図、（ｂ）は係合が外れた斜視図である。
【図６】同実施例の収納途中を示す斜視図である。
【図７】本発明に係るかけ布ずれ防止具の変更例を示す斜視図である。
【図８】本発明に係るかけ布ずれ防止具の変更例を示す斜視図である。
【図９】本発明の従来例を示す斜視図である。
【符号の説明】
【００２４】
２    ベースフレーム
３    マットレス
５    かけ布ずれ防止具
６    差込部
７    ガード部
１５    延出部材
１６    ベルト
１７    分岐具
２２    掛止部材
２３    掛止具
２５    止め具
【図１】
2005177192.tif 000003
【図２】
2005177192.tif 000004
【図３】
2005177192.tif 000005
【図４】
2005177192.tif 000006
【図５】
2005177192.tif 000007
【図６】
2005177192.tif 000008
【図７】
2005177192.tif 000009
【図８】
2005177192.tif 000010
【図９】
2005177192.tif 000011